(57)【要約】【課題】  自己ＢＳＳ内だけでなく隣接ＢＳＳからの干渉波も生じない無通信区間を実現し、従来方式に比べてより不要波の少ない状態でのレーダ検出を可能とする、無線ＬＡＮシステムにおける無通信区間同期方式を提供することを目的とする。【解決手段】  ＢＳＳ内での周期的な無通信動作を、周辺ＢＳＳと同一時間帯に設けることを特徴とする無線ＬＡＮシステム。【選択図】  図１
2006303695.tif 000002
【特許請求の範囲】
【請求項１】
ＢＳＳ内での周期的な無通信動作を、周辺ＢＳＳと同一時間帯に設けることを特徴とする無線ＬＡＮシステム。
【請求項２】
後からＢＳＳを開設するＡＰが使用するＢｅａｃｏｎフレーム内ＤＦＳ関連パラメータを、該ＡＰのＢＳＳ開設時の周辺ＢＳＳ検索によって受信する周辺ＢＳＳからのＢｅａｃｏｎフレーム情報を元に算出することによって、該ＡＰのＢＳＳ内における周期的な無通信区間を該隣接ＢＳＳと同期した時間帯に設けることを特徴とする無線ＬＡＮシステム。
【請求項３】
同一チャネルで隣接関係にある一のＡＰが構成する一のＢＳＳと他のＡＰが構成する他のＢＳＳとがオーバーラップする環境において、前記一または他のＡＰのうち、後からＢＳＳを開設するＡＰが使用するＢｅａｃｏｎフレーム内ＤＦＳ関連パラメータを、該ＡＰのＢＳＳ開設時の周辺ＢＳＳ検索によって受信する周辺ＢＳＳからのＢｅａｃｏｎフレーム情報を元に算出することにより、該ＡＰのＢＳＳ内における周期的な無通信区間を該周辺ＢＳＳと同期した時間帯に設けることを特徴とする無線ＬＡＮシステム。
【請求項４】
後からＢＳＳを開設するＡＰが使用するＢｅａｃｏｎフレーム内ＤＦＳ関連パラメータを、該ＡＰのＢＳＳ開設時の周辺ＢＳＳ検索によって受信する周辺ＢＳＳからのＢｅａｃｏｎフレーム情報を元に算出することによって、該ＡＰのＢＳＳ内における周期的な無通信区間を該周辺ＢＳＳと同期した時間帯に設けることを特徴とする無線ＬＡＮシステムの無通信区間同期方法。
【請求項５】
同一チャネルにて一のＡＰが構成する一のＢＳＳと他のＡＰが構成する他のＢＳＳとがオーバーラップする環境において、前記一または他のＡＰのうち、後からＢＳＳを開設するＡＰが使用するＢｅａｃｏｎフレーム内ＤＦＳ関連パラメータを、該ＡＰのＢＳＳ開設時の周辺ＢＳＳ検索によって受信する周辺ＢＳＳからのＢｅａｃｏｎフレーム情報を元に算出することにより、該ＡＰのＢＳＳ内における周期的な無通信区間を該周辺ＢＳＳと同期した時間帯に設けることを特徴とする無線ＬＡＮシステムの無通信区間同期方法。
【請求項６】
自身が使用するＢｅａｃｏｎフレーム内ＤＦＳ関連パラメータを、自身のＢＳＳ開設時の周辺ＢＳＳ検索によって受信する周辺ＢＳＳからのＢｅａｃｏｎフレーム情報を元に算出することによって、自身のＢＳＳ内における周期的な無通信区間を該周辺ＢＳＳと同期した時間帯に設けることを特徴とする無線ＬＡＮシステムのＡＰ。
【請求項７】
同一チャネルにて自身が構成する一のＢＳＳと他のＡＰが構成する他のＢＳＳとがオーバーラップする環境において、前記他のＡＰよりも後からＢＳＳを開設する場合に、使用するＢｅａｃｏｎフレーム内ＤＦＳ関連パラメータを、自身のＢＳＳ開設時の周辺ＢＳＳ検索によって受信する周辺ＢＳＳからのＢｅａｃｏｎフレーム情報を元に算出することにより、自身のＢＳＳ内における周期的な無通信区間を該周辺ＢＳＳと同期した時間帯に設けることを特徴とする無線ＬＡＮシステムのＡＰ。
【発明の詳細な説明】
【技術分野】
【０００１】
本発明は無線ＬＡＮシステムに関し、特に無通信区間の制御に特徴を有する無線ＬＡＮシステムに関する。
【背景技術】
【０００２】
ＩＥＥＥ８０２．１１で標準化されている無線ＬＡＮ規格には、周波数５ＧＨｚ帯を使用した無線ＬＡＮシステムを欧州で運用する際の、スペクトラムおよび送信出力規制対応としてのＩＥＥＥ８０２．１１ｈが存在する。
【０００３】
ＩＥＥＥ８０２．１１ｈには送信出力規制対応としてのＴＰＣ（Ｔｒａｎｓｍｉｔ  Ｐｏｗｅｒ  Ｃｏｎｔｒｏｌ）とスペクトラム規制対応としてのＤＦＳ（Ｄｙｎａｍｉｃ  Ｆｒｅｑｕｅｎｃｙ  Ｓｅｌｅｃｔｉｏｎ）の２つの機能があり、ＴＰＣ機能は同一周波数帯を使用する衛星システムに対する干渉の影響を軽減するための送信出力制御機能の実装を、ＤＦＳ機能は、同一周波数帯を使用するレーダシステムと同一チャネルでの運用を回避するためのレーダ検出機能およびチャネル移動機能の実装を、無線ＬＡＮシステム側に義務付けている。
【０００４】
具体的にはＩＥＥＥ８０２．１１ｈで規定するＤＦＳ機能では、無線ＬＡＮシステムがレーダシステムと同一周波数帯で運用することのないように、無線ＬＡＮシステム側にレーダ波検出機能の実装と、無線ＬＡＮシステム運用開始時および運用中にレーダ波を検出した場合には、すぐに他チャネルへ移行することを義務付けている。
【０００５】
このレーダ波検出機能の精度を高めるために、ＢＳＳ内のＡＰおよびＳＴＡに対しては、ＡＰによって任意に設定される周期的な無通信区間が設けられており、ＡＰ配下の全ＳＴＡは、ＡＰから定期的に受信する図９に示すＢｅａｃｏｎフレーム内Ｑｕｉｅｔ  ｅｌｅｍｅｎｔフィールド情報に従って、周期的な無通信動作を行う。
【０００６】
また国内において、２００５年５月から、５ＧＨｚ帯無線アクセスシステムに対して新たに分配される周波数帯域の一部が気象レーダおよび各種レーダに割り当て済みの帯域であることから、当該周波数帯域を使用する無線ＬＡＮシステムのＡＰには、ＴＰＣおよびＤＦＳ機能の実装を義務付けている。
【０００７】
ＤＦＳ機能ではレーダ検出の精度を上げるために、ＡＰが構成するＢＳＳ内おいて、ＡＰおよび全ＳＴＡが同時に送信を停止する無通信区間を周期的に設ける機能が存在する。
【０００８】
たとえば特許文献１に記載の発明では、レーダ反射波の受信時間を予測し、この予測時間内には自局のパケット送信を中止するように制御している。
【０００９】
【特許文献１】特開２００１−２８５３０１号公報
【発明の開示】
【発明が解決しようとする課題】
【００１０】
しかし、無線ＬＡＮシステムの運用状態を想定した場合には、各ＢＳＳ内で無通信区間を設けても、同一チャネルで隣接する他ＢＳＳからの干渉による不要波が存在することから、ＢＳＳ内での無通信制御の効果が十分に発揮できないと考えられる。
【００１１】
すなわち、この無通信区間は各ＢＳＳ内で定義されるものであることから、図１に示すように同一チャネルで隣接関係にある（周辺にある）ＡＰによってＢＳＳがオーバーラップする環境においては、自己ＢＳＳ内が無通信区間である場合にも、隣接ＢＳＳ（周辺ＢＳＳ）内は自己ＢＳＳ内とは非同期な無通信区間を有することから、実質的に自己ＢＳＳ内での無通信区間を確保できなくなる。
【００１２】
したがって、従来、同一チャネルのＢＳＳがオーバーラップする環境においては、レーダ検出精度を高めるための無通信区間がその効力を発揮できないという問題があった。
【００１３】
本発明は上記の点にかんがみてなされたもので、同一チャネルで隣接するＢＳＳ間での無通信区間を同期させることにより、自己ＢＳＳ内だけでなく隣接ＢＳＳからの干渉波も生じない無通信区間を実現し、従来方式に比べてより不要波の少ない状態でのレーダ検出を可能とする、無線ＬＡＮシステムにおける無通信区間同期方式を提供することを目的とする。
【課題を解決するための手段】
【００１４】
無線ＬＡＮの標準規格であるＩＥＥＥ８０２．１１では、図１の１および２に示すＡＰ（Ａｃｃｅｓｓ  Ｐｏｉｎｔ）が、その配下に帰属し、図１の５、６、７、８、９に示すＳＴＡ（Ｓｔａｔｉｏｎ）と共に構成する通信領域を、ＢＳＳ（Ｂａｓｉｃ  Ｓｅｒｖｉｃｅ  Ｓｅｔ）と呼び、図１の３、４に示す。
【００１５】
本発明は上記課題を解決するために、周波数５ＧＨｚ帯を使用した無線ＬＡＮシステムを欧州で運用する際の、スペクトラムおよび送信出力規制対応としての標準規格であるＩＥＥＥ８０２．１１ｈに基づくＤＦＳ（Ｄｙｎａｍｉｃ  Ｆｒｅｑｕｅｎｃｙ  Ｓｅｌｅｃｔｉｏｎ）機能を有する無線ＬＡＮシステムにおいて、ＡＰ１（図１の１）の通信領域であるＢＳＳ１（図１の３）と、ＡＰ１と同じチャネルで運用中のＡＰ２（図１の２）の通信領域であるＢＳＳ２（図１の４）とが一部オーバーラップする場合に、後からＢＳＳを開設するＡＰが使用するＢｅａｃｏｎフレーム内ＤＦＳ関連パラメータを、ＢＳＳ開設時の周辺ＢＳＳ検索によって受信する隣接ＢＳＳ（周辺ＢＳＳ）からのＢｅａｃｏｎフレーム内パラメータを元に算出することにより、ＤＦＳ機能の一つであるＢＳＳ内での周期的な無通信動作を、隣接ＢＳＳと同一時間帯に設けることを特徴としている。
【発明の効果】
【００１６】
ＤＦＳ機能を有するＡＰがＢＳＳ内で任意に定義する周期的な無通信区間は、通信中無線ＬＡＮシステムにおいて、ＩＥＥＥ８０２．１１ｈに基づくレーダ波検出精度を高める効果を有するものであるが、同一チャネルで隣接関係にある複数ＡＰによってＢＳＳがオーバーラップする環境においては、自己ＢＳＳ内が無通信区間である場合にも、隣接ＢＳＳ内は自己ＢＳＳ内とは非同期な無通信区間を有することから、自己ＢＳＳ内での無通信区間中にも他ＢＳＳからのＩＥＥＥ８０２．１１フレーム受信、又はそれに伴う干渉波を生じる可能性がある。
【００１７】
そこで、ＡＰが自己ＢＳＳ内で定義する無通信区間を、ＢＳＳ開設時に行う同一チャネル内の周辺ＢＳＳ検索によって受信した他ＢＳＳのＢｅａｃｏｎフレームパラメータを元に算出することによって、隣接ＢＳＳと同期した無通信区間を設けることが可能になる。
【００１８】
本発明では、これによって、自己ＢＳＳ内での無通信区間において、隣接ＢＳＳからの不要波混入が生じなくなるため、隣接ＢＳＳがオーバーラップする環境におけるレーダ波検出精度が、ＢＳＳ間の無通信区間が非同期である従来手法に比べて向上する。
【発明を実施するための最良の形態】
【００１９】
次に、本発明の実施の形態について図面を参照して詳細に説明する。
【００２０】
本発明を実現するシステムは図１に示す通り、ＤＦＳ機能を有するＡＰと、それに帰属するＳＴＡから構成されるＩＥＥＥ８０２．１１で定義するところのＩｎｆｒａｓｔｒｕｃｔｕｒｅ  Ｎｅｔｗｏｒｋである。
【００２１】
なお、図１に示すＰｏｒｔａｌとは、ＩＥＥＥ８０２．１１以外のＬＡＮプロトコルとのプロトコル変換機能をＡＰに付加することにより、無線基地局端末とＥｔｈｅｒｎｅｔ（登録商標）などの有線ＬＡＮとの接続を可能にした基地局端末を示す。
【００２２】
図１の１、２に示すＡＰ１およびＡＰ２は、図２に示す無線ＬＡＮモジュール２７と上位レイヤとのインターフェース２５を介して、ＴＣＰ／ＩＰや各種アプリケーションなどの上位プロトコル処理を無線基地局本体２６にて実現するものであり、図１の５、６、７、８、９に示すＳＴＡは、図２に示す無線ＬＡＮモジュール２７と上位レイヤとのインターフェース２５を介してＡＰと同様な上位プロトコル処理をノート型パーソナルコンピュータなどの移動端末本体２６によって実現するものである。
【００２３】
図２に示す無線ＬＡＮモジュール２７は、無線区間でのフレーム送受信を行う無線機部２１、変復調処理を行うＩＥＥＥ８０２．１１  ＰＨＹプロトコル処理部２２、ＭＡＣ（Ｍｅｄｉｕｍ  Ａｃｃｅｓｓ  Ｃｏｎｔｒｏｌ）層でのアクセス制御を行うＩＥＥＥ８０２．１１ＭＡＣプロトコル処理部２３、ＭＡＣ層での認証処理などのＳＭＥ（Ｓｔａｔｉｏｎ  Ｍａｎａｇｅｍｅｎｔ  Ｅｎｔｉｔｙ）処理を実現する上位レイヤ処理部２４から構成される。
【００２４】
フレーム送信時、図２に示すＩＥＥＥ８０２．１１  ＭＡＣプロトコル処理部２３では、上位レイヤ処理部２４から受信する送信要求フレームを、ＩＥＥＥ８０２．１１  ＭＡＣプロトコルに従うＭＡＣフレームフォーマットへ変換する。続いて図２に示すＩＥＥＥ８０２．１１  ＰＨＹプロトコル処理部２２では、当該ＭＡＣフレームに対する変調処理を行い、無線機部２１を経て当該フレームを空間上に送出することにより、送信処理を完了する。
【００２５】
フレーム受信時、図２に示すＩＥＥＥ８０２．１１  ＭＡＣプロトコル処理部２３では、無線機部２１を経てＩＥＥＥ８０２．１１  ＰＨＹプロトコル処理部２２にて復調処理を行った結果を受信したＭＡＣフレームに対してＣＲＣ３２の計算、ＭＡＣヘッダー内容の解析と受信フレームに対する処理を行い、ＦｒａｍｅＢｏｄｙ部を上位レイヤ処理部２４へ通知する。
【００２６】
ＢＳＳを構成するＡＰは、ＢＳＳ内ＳＴＡがＡＰに同期するための情報を含むＢｅａｃｏｎフレームを周期的に自己ＢＳＳ内にブロードキャスト送信する。
【００２７】
Ｂｅａｃｏｎフレームフォーマットは、図８に示す通りＭＡＣヘッダ部とＦｒａｍｅＢｏｄｙおよびＦＣＳ（Ｆｒａｍｅ  Ｃｈｅｃｋ  Ｓｅｑｕｅｎｃｅ）フィールドから構成され、ＦｒａｍｅＢｏｄｙ部にはＢＳＳ内での同期に必要なＴｉｍｅｓｔａｍｐ、ＢｅａｃｏｎＩｎｔｅｒｖａｌ情報や、各種Ｉｎｆｏｒｍａｔｉｏｎ  ｅｌｅｍｅｎｔフィールドが含まれる。
【００２８】
Ｉｎｆｏｒｍａｔｉｏｎ  ｅｌｅｍｅｎｔフィールドは、Ｅｌｅｍｅｎｔ  ＩＤとＬｅｎｇｔｈ情報によって以降に続くフレーム内容を規定するもので、ＤＦＳ機能を有するＡＰが送信するＢｅａｃｏｎフレームには、Ｉｎｆｏｒｍａｔｉｏｎ  ｅｌｅｍｅｎｔフィールドの１つであるＱｕｉｅｔ  ｅｌｅｍｅｎｔフィールドが含まれる。
【００２９】
図９に示すＱｕｉｅｔ  ｅｌｅｍｅｎｔフィールドは、Ｑｕｉｅｔ  Ｃｏｕｎｔ、Ｑｕｉｅｔ  Ｐｅｒｉｏｄ、Ｑｕｉｅｔ  Ｄｕｒａｔｉｏｎ、Ｑｕｉｅｔ  Ｏｆｆｓｅｔの４つのパラメータによって構成され、これらのパラメータはＢＳＳ内での無通信区間の周期を規定するもので、Ｂｅａｃｏｎフレーム送信を行うＡＰと、Ｂｅａｃｏｎフレーム受信を行い当該ＡＰに帰属するＳＴＡはこの定義に従い、ＢＳＳ内で同期した無通信区間を保持し、この区間においては送信動作を停止する。
【００３０】
ここで、Ｑｕｉｅｔ  ｅｌｅｍｅｎｔフィールド内各パラメータの意味を以下に示す。
【００３１】
Ｑｕｉｅｔ  Ｃｏｕｎｔは、無通信区間が開始されるまでに生じるＢｅａｃｏｎフレーム送信タイミングの数を示すパラメータである。
【００３２】
Ｑｕｉｅｔ  Ｐｅｒｉｏｄは、連続した無通信区間開始の間に生じるＢｅａｃｏｎＩｎｔｅｒｖａｌの数を示すパラメータである。
【００３３】
Ｑｕｉｅｔ  Ｄｕｒａｔｉｏｎは、無通信区間となる時間を示すパラメータである。
【００３４】
Ｑｕｉｅｔ  Ｏｆｆｓｅｔは、Ｑｕｉｅｔ  Ｃｏｕｎｔ＝０のＢｅａｃｏｎフレーム送信タイミングから無通信区間開始までのオフセット時間を示すパラメータである。
【００３５】
図１に示すＡＰ２（図１の２）が構成するＢＳＳ２（図１の４）において周期的に繰り返す無通信区間の具体例を、図１０に示す。
【００３６】
図１０においては、ＡＰ２が定義する各種パラメータを、Ｂｅａｃｏｎ  Ｉｎｔｅｒｖａｌ（ＡＰ２）、Ｑｕｉｅｔ  Ｐｅｒｉｏｄ（ＡＰ２）、Ｑｕｉｅｔ  Ｄｕｒａｔｉｏｎ（ＡＰ２）、Ｑｕｉｅｔ  Ｏｆｆｓｅｔ（ＡＰ２）と記し、ここではＱｕｉｅｔ  Ｐｅｒｉｏｄ（ＡＰ２）を３に設定した場合について示す。
【００３７】
本発明は、図１に示すように同一チャネルで隣接関係にあるＡＰ１とＡＰ２の構成するＢＳＳ１とＢＳＳ２がオーバーラップする環境において、後からＢＳＳを開設するＡＰが使用するＢｅａｃｏｎフレーム内ＤＦＳ関連パラメータを、ＢＳＳ開設時の周辺ＢＳＳ検索によって受信する隣接ＢＳＳからのＢｅａｃｏｎフレーム情報を元に算出することにより、ＢＳＳ内における周期的な無通信区間を隣接ＢＳＳと同期した時間帯に設ける手段についての発明であり、この機能を実現するための機能ブロック構成の例を図３に示す。
【００３８】
図３に示す処理は、図２に示す無線ＬＡＮモジュール内上位レイヤ処理部２４において実現する。
【００３９】
図３に示すＢＳＳ開設要求処理部３１は、上位レイヤインターフェース２５を介して無線基地局本体から要求されるＢＳＳ開設要求と、図２に示すＩＥＥＥ８０２．１１ＰＨＹプロトコル処理部２２を介してＩＥＥＥ８０２．１１ＭＡＣプロトコル処理部２３から受信するレーダ信号検出通知を元にＢＳＳ開設チャネルを決定し、ＢＳＳ開設要求をＢＳＳ開設処理部３２へ送出する。
【００４０】
ＢＳＳ開設処理部３２は、ＢＳＳ開設要求処理部３１からＢＳＳ開設要求を受信することによって、周辺ＢＳＳ情報処理部３４に対してＢＳＳ開設チャネルを指定した周辺ＢＳＳ検索開始要求を送出し、周辺ＢＳＳ情報処理部３４からの周辺ＢＳＳ検索完了通知を受信することによって周辺ＡＰ情報テーブル３５を参照し、Ｂｅａｃｏｎフレーム内パラメータの決定と、ＩＥＥＥ８０２．１１ＭＡＣプロトコル処理部２３に対するＢｅａｃｏｎフレーム送信開始要求の送出を行う。
【００４１】
なお、隣接ＢＳＳから受信したＢｅａｃｏｎフレームに同期した無通信区間を設定する場合には、ＢＳＳ開設処理部３２内部に存在するパラメータ算出部３３を用いてＢｅａｃｏｎフレーム内パラメータを算出し、ＢＳＳ開設処理部３２とＩＥＥＥ８０２．１１ＭＡＣプロトコル処理部２３との間で隣接ＢＳＳのＢｅａｃｏｎフレームに対する同期確立を行い、ＢＳＳ開設処理部３２からＩＥＥＥ８０２．１１ＭＡＣプロトコル処理部２３に対してＢｅａｃｏｎフレーム送信開始要求を送出することによって、ＢＳＳ開設を行う。
【００４２】
周辺ＢＳＳ情報処理部３４は、ＢＳＳ開設処理部３２からの周辺ＢＳＳ検索開始要求受信によって、指定されたＢＳＳ開設チャネルを用いた周辺ＢＳＳ検索を所定時間行い、ＩＥＥＥ８０２．１１ＭＡＣプロトコル処理部２３から所定時間内に受信したＢｅａｃｏｎフレームの中で最も受信レベルの高いＢｅａｃｏｎフレーム情報を、周辺ＡＰ情報テーブル３５へ書き込む。
【００４３】
周辺ＡＰ情報テーブル３５は、周辺ＢＳＳ情報処理部３４で行う周辺ＢＳＳ検索結果によって得られた隣接ＢＳＳ内Ｂｅａｃｏｎフレームパラメータを保持するものであり、ＢＳＳ開設処理部３２からは、自己ＢＳＳ内のＢｅａｃｏｎフレームパラメータ算出時にテーブル情報を参照される。
【００４４】
続いて、ＢＳＳ開設要求処理部３１の詳細処理を図４に示す。
【００４５】
ＢＳＳ開設要求処理部３１は、処理４１において上位レイヤからのＢＳＳ開設チャネルを指定されたＢＳＳ開設要求受信を検出すると、処理４２においてＢＳＳ開設チャネルでのレーダ検出有無を確認する。
【００４６】
処理４２では、ＩＥＥＥ８０２．１１ＭＡＣプロトコル処理部２３から受信するレーダ信号検出通知に基づき、ＢＳＳ開設チャネルでのレーダ検出通知の有無を確認し、開設チャネルにおいてレーダ検出通知がある場合には、処理４３へ移行し、ＢＳＳ開設を行うチャネルを他に探す。
【００４７】
処理４３では、ＩＥＥＥ８０２．１１ＭＡＣプロトコル処理部２３から受信する
レーダ信号検出通知に基づきレーダ検出の無い空きチャネル情報を保持するものとし、空きチャネルのある場合には、処理４４においてＢＳＳ開設チャネルとして空きチャネルの中から任意のチャネル指定を行い、ＢＳＳ開設処理部３２に対するＢＳＳ開設要求の送出を行う。
【００４８】
処理４２において、ＢＳＳ開設チャネルでのレーダ検出が無い場合には、上位レイヤから指定されたＢＳＳ開設チャネルを用いてＢＳＳ開設処理部３２に対するＢＳＳ開設要求の送出を行う。
【００４９】
処理４３においてレーダ検出の無い空きチャネルが存在しない場合には、ＢＳＳ開設要求処理を行うことは不可能であるため、次回ＢＳＳ開設要求の受信待ち状態へ移行する。
【００５０】
続いて、ＢＳＳ開設処理部３２の詳細処理を図５に示す。
【００５１】
ＢＳＳ開設処理部３２は、処理５１においてＢＳＳ開設要求処理部３１からのＢＳＳ開設要求受信を検出することによって、処理５２へ移行する。
【００５２】
処理５２では、周辺ＢＳＳ検索開始要求を周辺ＢＳＳ情報処理部３４へ送出し、処理５３へ移行する。
【００５３】
処理５３では、周辺ＢＳＳ情報処理部３４から周辺ＢＳＳ検索完了通知の受信を検出することによって、処理５４へ移行する。
【００５４】
処理５４では、周辺ＢＳＳ情報処理部３４において行った所定時間の周辺ＢＳＳ検索結果を、周辺ＡＰ情報テーブル３５を参照することによって確認する。
【００５５】
処理５５では、処理５４で行った周辺ＡＰ情報テーブル参照結果において他ＢＳＳからのＢｅａｃｏｎフレーム受信が有る場合には、処理５６に移行し、パラメータ算出部３３を用いて隣接ＢＳＳのＢｅａｃｏｎフレームパラメータに同期した自己ＢＳＳ内のＢｅａｃｏｎフレームパラメータ算出を行う。
【００５６】
処理５７では、ＩＥＥＥ８０２．１１ＭＡＣプロトコル処理部２３との間で、同期先である隣接ＢＳＳから受信するＢｅａｃｏｎフレームのＱｕｉｅｔ  Ｃｏｕｎｔ＝０タイミングへの同期確立を行い、続いてＩＥＥＥ８０２．１１ＭＡＣプロトコル処理部２３に対してＢｅａｃｏｎフレーム送信開始要求の送出を行う。
【００５７】
処理５５において他ＢＳＳからのＢｅａｃｏｎフレーム受信が無い場合には処理５８に移行し、ＡＰ自身が予め内部でＭＩＢとして保持しているＢｅａｃｏｎフレーム内パラメータ設定値をＢＳＳ開設時のＢｅａｃｏｎフレーム内パラメータとして参照し、任意タイミングににおいてＩＥＥＥ８０２．１１ＭＡＣプロトコル処理部２３に対するＢｅａｃｏｎフレーム送信開始要求の送出を行う。
【００５８】
続いて、周辺ＢＳＳ情報処理部３４の詳細処理を図６に示す。
【００５９】
周辺ＢＳＳ情報処理部３４は、処理６１においてＢＳＳ開設処理部３２からの周辺ＢＳＳ検索開始要求受信の検出を行い、続く処理６２において周辺ＡＰ情報テーブル３５内の全情報をクリアすることにより、周辺ＢＳＳ検索開始前に周辺ＡＰ情報テーブルを初期化する。
【００６０】
処理６３では周辺ＢＳＳ検索タイマーをスタートし、ＢＳＳ検索時間として任意に指定した時間を周辺ＢＳＳ検索タイマーの満了時間として、処理６４において計測する。
【００６１】
処理６５では、周辺ＢＳＳ検索タイマー動作中にＩＥＥＥ８０２．１１ＭＡＣプロトコル処理部２３から受信したフレームの中に、Ｑｕｉｅｔ  ｅｌｅｍｅｎｔフィールドを伴うＢｅａｃｏｎフレーム受信があるか否かを確認する。
【００６２】
処理６５において、Ｑｕｉｅｔ  ｅｌｅｍｅｎｔフィールドを伴うＢｅａｃｏｎフレーム受信がある場合には、処理６６において周辺ＡＰ情報テーブル３５に格納されている受信Ｂｅａｃｏｎフレームの前回受信レベルと今回受信レベルの比較を行い、今回受信したＢｅａｃｏｎフレームの受信レベルの方が前回よりも高い場合には、処理６７に示すように周辺ＡＰ情報テーブル３５を、今回受信したＢｅａｃｏｎフレーム内パラメータによって更新する。
【００６３】
処理６５において、Ｑｕｉｅｔ  ｅｌｅｍｅｎｔフィールドを伴うＢｅａｃｏｎフレーム受信が無い場合には、処理６４における周辺ＢＳＳ検索タイマーが満了するまでの間同様な処理を繰り返す。
【００６４】
また、処理６６において、受信Ｂｅａｃｏｎフレームの前回受信レベルの方が今回受信レベルよりも高い場合には、周辺ＡＰ情報テーブル３５を更新せずにそのまま保持する。
【００６５】
周辺ＢＳＳ情報処理部３４は、処理６４において周辺ＢＳＳ検索タイマーが満了するまでの間、処理６５、６６、６７に示すＢＳＳ検索処理を繰り返し、周辺ＢＳＳ検索タイマーが満了した場合には、ＢＳＳ開設処理部３２に対して、周辺ＢＳＳ検索完了通知を送出する。
【００６６】
続いて、周辺ＡＰ情報テーブル３５の詳細を図１２に示す。
【００６７】
周辺ＡＰ情報テーブル３５は、周辺ＢＳＳ情報処理部３４において周辺ＢＳＳ検索時間中に受信した最も受信レベルの高いＱｕｉｅｔ  ｅｌｅｍｅｎｔフィールドを有するＢｅａｃｏｎフレーム内パラメータ、およびそれに伴う情報を格納する領域である。
【００６８】
隣接ＢＳＳのＢｅａｃｏｎフレームに関するパラメータとして周辺ＡＰ情報テーブル３５に格納する情報は、当該Ｂｅａｃｏｎフレームの送信元であるＡＰのＭＡＣアドレス、ＢｅａｃｏｎＩｎｔｅｒｖａｌ、Ｑｕｉｅｔ  Ｐｅｒｉｏｄ、Ｑｕｉｅｔ  Ｏｆｆｓｅｔ、Ｑｕｉｅｔ  Ｄｕｒａｔｉｏｎ、当該Ｂｅａｃｏｎフレームの受信レベルであり、周辺ＡＰ情報テーブル３５内受信レベル情報は、周辺ＢＳＳ情報処理部３４で行う処理６６において、受信Ｂｅａｃｏｎフレームの前回受信レベルとして参照される。
【００６９】
続いて、ＢＳＳ開設処理部３２内部に存在するパラメータ算出部３３の詳細処理を図７に示す。
【００７０】
パラメータ算出処理を示す図７の処理７１から７６は、ＢＳＳ開設処理部３２における詳細処理を示した図５の処理５６の中で行う。
【００７１】
ここで、パラメータ算出処理の説明を容易にするため、図１に示す
ＡＰ１（図１の１）をＢＳＳ開設を行うＡＰ、ＡＰ２（図１の２）をＢＳＳ開設済みＡＰとし、ＡＰ１およびＡＰ２は共にＩＥＥＥ８０２．１１ｈに対応したＤＦＳ機能を有し、同一チャネルでの運用を行うという前提のもと、ＡＰ１におけるＢＳＳ開設時のＢｅａｃｏｎフレームパラメータ算出手順として図７の処理フローを説明する。
【００７２】
なお、図７の各処理の中で、ＡＰ１に関するパラメータを「パラメータ名（ＡＰ１）」、ＡＰ２に関するパラメータを「パラメータ名（ＡＰ２）」として表す。
【００７３】
ＡＰ１は処理７１において、Ｂｅａｃｏｎフレームパラメータの１つである
ＢｅａｃｏｎＩｎｔｅｒｖａｌ（ＡＰ１）の初期設定値として、ＡＰ１内部でＭＩＢとして保持するｄｏｔ１１ＢｅａｃｏｎＰｅｒｉｏｄを取得する。
【００７４】
ＡＰ１では隣接するＡＰ２からのＢｅａｃｏｎフレーム受信が行われることから、処理７２において、周辺ＡＰ情報テーブル３５に格納されたＡＰ２のＢｅａｃｏｎフレームパラメータである、Ｑｕｉｅｔ  Ｐｅｒｉｏｄ（ＡＰ２）、Ｑｕｉｅｔ  Ｏｆｆｓｅｔ（ＡＰ２）、Ｑｕｉｅｔ  Ｄｕｒａｔｉｏｎ（ＡＰ２）、ＢｅａｃｏｎＩｎｔｅｒｖａｌ（ＡＰ２）を参照する。
【００７５】
処理７３では、ＡＰ２が構成するＢＳＳ２（図１の４）における無通信区間の１周期（Ｐ）を、Ｑｕｉｅｔ  Ｐｅｒｉｏｄ（ＡＰ２）とＢｅａｃｏｎＩｎｔｅｒｖａｌ（ＡＰ２）の積によって算出する。
【００７６】
処理７４ではＡＰ１のＢｅａｃｏｎフレームパラメータとして、ＢｅａｃｏｎＩｎｔｅｒｖａｌ（ＡＰ１）を内部設定値であるｄｏｔ１１ＢｅａｃｏｎＰｅｒｉｏｄに最も近いＰ／Ｎ（Ｎは２以上の整数）として算出し、処理７５では、Ｑｕｉｅｔ  Ｐｅｒｉｏｄ（ＡＰ１）をＮとして設定する。
【００７７】
処理７６では、Ｑｕｉｅｔ  Ｏｆｆｓｅｔ（ＡＰ１）、Ｑｕｉｅｔ  Ｄｕｒａｔｉｏｎ（ＡＰ１）にそれぞれＡＰ２の設定値であるＱｕｉｅｔ  Ｏｆｆｓｅｔ（ＡＰ２）、Ｑｕｉｅｔ  Ｄｕｒａｔｉｏｎ（ＡＰ２）を設定することによって、パラメータ算出を完了する。
【００７８】
ＢＳＳ開設を行うＡＰ１がＢＳＳ開設済みのＡＰ２と同期した無通信区間を保持する具体例として、ＡＰ２によって構成されるＢＳＳ２での無通信区間周期を図１０とし、図７に示す処理７４および７５におけるＮを６と設定とした場合に、図７に示すパラメータ算出結果によって得られるＢＳＳ１の無通信区間周期を図１１に示す。
【００７９】
図１１では、Ｂｅａｃｏｎフレーム送信タイミングと無通信区間の重なるタイミングが存在するが、無通信区間においてはＢｅａｃｏｎフレーム送信も停止する必要があるため、送信を行うＢｅａｃｏｎフレームとの区別のために、送信を停止するＢｅａｃｏｎフレームを点線で表す。
【００８０】
図１０と図１１を比較することにより、パラメータ算出部３３によって得られるＢｅａｃｏｎフレームパラメータが、ＢＳＳ毎に任意のＢｅａｃｏｎＩｎｔｅｒｖａｌを設定した状態で、周期的な送信停止を行う無通信区間については、隣接ＢＳＳ間での同期を実現することが分かる。
【００８１】
本発明の他の実施例として、以下２つの例を挙げる。
【００８２】
他の実施例の１つ目は、図３に示す周辺ＢＳＳ情報処理部３４で行う周辺ＡＰ情報の取得対象を、ＢＳＳ開設要求処理部３１から指定されるＢＳＳ開設チャネルだけでなく他チャネルにも拡張することである。
【００８３】
これによって、ＢＳＳ開設時に決定するＢｅａｃｏｎフレームパラメータを、ＢＳＳ開設チャネルに干渉を生じる可能性のある隣接チャネル等の他チャネルから受信するＢｅａｃｏｎフレームパラメータに同期させることが可能となり、自己ＢＳＳ内での無通信区間における他チャネルからの干渉波の混入回避を実現することができる。
【００８４】
本手法を用い、ＢＳＳ開設チャネル内に他ＡＰが存在しない場合は他チャネルで運用中のＢＳＳにおける無通信区間に同期し、ＢＳＳ開設チャネル内に他ＡＰが存在する場合は同一チャネルで運用中のＢＳＳにおける無通信区間に同期する機能を実現した場合には、この機能を有するＡＰを複数用いて構築した無線ＬＡＮシステムにおいて全ＡＰの無通信区間を同期させることが可能となり、ＤＦＳ機能を最適な環境で使用することができる。
【００８５】
他の実施例の２つ目は、複数ＡＰから構成される無線ＬＡＮシステムとそれを運用するための各種パラメータ設定を、ＡＰの上位レイヤに位置するポリシーサーバによって集中管理し、各ＡＰにおける運用パラメータ変更、およびＡＰの制御をポリシーサーバ側から制御可能な無線ＬＡＮシステムにおける適用である。
【００８６】
上記無線ＬＡＮシステムにおける隣接ＡＰ間の無通信区間同期制御の実現方法は、本説明書で先に述べたように、各ＡＰがＢＳＳ開設時に隣接ＡＰのＢｅａｃｏｎフレーム情報を用いて独自に同期を試みる手法とは異なり、ポリシーサーバがその管理下にあるＡＰを制御することによって実現するものである。
【００８７】
具体的には、複数ＡＰを集中管理するポリシーサーバが、同一チャネル内の無通信区間周期を同期させるようなＢｅａｃｏｎフレームパラメータを、予め各ＡＰのＢＳＳ開設時に運用パラメータとして設定し、更にＢＳＳ開設タイミングをポリシーサーバから制御することによって、同一ポリシーサーバ配下で同一チャネルを使用するＡＰ間における無通信区間同期の実現が可能となる。
【００８８】
なお、ポリシーサーバが複数存在する場合にも、ポリシーサーバ間での同期を取ることによって、異なるポリシーサーバ配下に位置するＡＰ間の無通信区間同期を実現することも可能である。
【図面の簡単な説明】
【００８９】
【図１】本発明の無線ＬＡＮシステムの構成を示すブロック図である。
【図２】ＡＰの無線ＬＡＮモジュール２７の構成を示すブロック図である。
【図３】無線ＬＡＮモジュール２７内の上位レイヤ処理部２４にて行う処理のフローチャートを示す図である。
【図４】ＢＳＳ開設要求処理部３１にて行う処理のフローチャートを示す図である。
【図５】ＢＳＳ開設処理部３２にて行う処理のフローチャートを示す図である。
【図６】周辺ＢＳＳ情報処理部３４にて行う処理のフローチャートを示す図である。
【図７】ＢＳＳ開設処理部３２内のパラメータ算出部３３にて行う処理のフローチャートを示す図である。
【図８】Ｂｅａｃｏｎフレームフォーマットを示す図である。
【図９】Ｑｕｉｅｔ  ｅｌｅｍｅｎｔフィールドを示す図である。
【図１０】ＡＰ２によって構成されるＢＳＳ２での無通信区間周期を示す図である。
【図１１】図７によって得られるＢＳＳ１の無通信区間周期を示す図である。
【図１２】周辺ＡＰ情報テーブル３５の詳細を示す図である。
【符号の説明】
【００９０】
１、２  ＡＰ
３、４  ＢＳＳ
５〜９  ＳＴＡ
２１  無線機部
２２  ＩＥＥＥ８０２．１１ＰＨＹプロトコル処理部
２３  ＩＥＥＥ８０２．１１ＭＡＣプロトコル処理部
２４  上位レイヤ処理部
２５  上位レイヤインターフェース
２６  無線基地局または移動端末本体
２７  無線ＬＡＮモジュール
３１  ＢＳＳ開設要求処理部
３２  ＢＳＳ開設処理部
３３  パラメータ算出部
３４  周辺ＢＳＳ情報処理部
３５  周辺ＡＰ情報テーブル
【図１】
2006303695.tif 000003
【図２】
2006303695.tif 000004
【図３】
2006303695.tif 000005
【図４】
2006303695.tif 000006
【図５】
2006303695.tif 000007
【図６】
2006303695.tif 000008
【図７】
2006303695.tif 000009
【図８】
2006303695.tif 000010
【図９】
2006303695.tif 000011
【図１０】
2006303695.tif 000012
【図１１】
2006303695.tif 000013
【図１２】
2006303695.tif 000014